(57)【要約】      （修正有）【課題】草刈りを効率的に行うことができる草刈刃を提供する。【解決手段】草刈刃１の中央には、円板状の板状部１１を備える。板状部１１は、草刈機と連結するための連結部１３と、連結部１３を中心として拡がる周辺部１５と、を備える。連結部１３は貫通孔１７を有しており、この貫通孔１７に草刈機の駆動軸を挿入して連結される。周辺部１５の外縁には、筒状体である筒部２１が設けられている。筒部２１はその軸方向が草刈刃１の回転方向（円周方向）に沿って配置されている。筒部２１は回転方向の前方および後方に開口を有しており、前方から後方へ貫通している。【選択図】図１
0003185167.tif 000002
【実用新案登録請求の範囲】
【請求項１】
草刈機にて用いられる草刈刃であって、
前記草刈機と連結するための連結部と、
前記連結部を中心として拡がる周辺部と、
両端に開口を有する筒状の形状であって、その軸方向が当該草刈刃の回転方向に沿うように前記周辺部の外縁に配置される筒部と、を備える
ことを特徴とする草刈刃。
【請求項２】
前記筒部は円筒状である
ことを特徴とする請求項１に記載の草刈刃。
【請求項３】
前記筒部は、両端の前記開口を繋ぐように、前記軸方向に沿って切れ込みが設けられている
ことを特徴とする請求項１または請求項２に記載の草刈刃。
【請求項４】
前記筒部における前記回転方向の前側に位置する前記開口の縁部の少なくとも一部分は、前記軸方向と略直交する平面上に位置する
ことを特徴とする請求項１から請求項３のいずれか１項に記載の草刈刃。
【請求項５】
前記筒部における前記回転方向の前側に位置する前記開口の縁部は、当該草刈刃の回転軸からの距離が大きいほど前記回転方向の後側に位置するように形成されている
ことを特徴とする請求項１から請求項３のいずれか１項に記載の草刈刃。
【請求項６】
前記筒部から下方に延び出し、前記軸方向に沿って長さを有する下側刃部を備える
ことを特徴とする請求項１から請求項５のいずれか１項に記載の草刈刃。
【請求項７】
前記筒部の内部空間は、前記回転方向の前端部分における前記軸方向と直交する方向の断面積が、前記回転方向の後端部分における前記軸方向と直交する方向の断面積よりも小さい
ことを特徴とする請求項１から請求項６のいずれか１項に記載の草刈刃。
【請求項８】
前記筒部の内部空間は、前記軸方向と直交する方向の断面積が前記回転方向の後方ほど大きくなる
ことを特徴とする請求項７に記載の草刈刃。
【請求項９】
前記筒部は、少なくともその一部分が前記周辺部から半径方向に延び出した延出部分を曲げて形成されている
ことを特徴とする請求項１から請求項８のいずれか１項に記載の草刈刃。
【請求項１０】
前記周辺部は、前記回転方向に沿って長さを有するリブが前記連結部を取り囲むように形成されている
ことを特徴とする請求項１から請求項９のいずれか１項に記載の草刈刃。
【考案の詳細な説明】
【技術分野】
【０００１】
本考案は、雑草などの刈り取りを行う草刈機にて用いられる草刈刃に関する。
【背景技術】
【０００２】
手持ち式の草刈機として、操作用のハンドルとエンジンなどの駆動源を有し、先端部には駆動源によって回転駆動される草刈刃を有するものが用いられている。
従来この草刈刃は、全体として平面板状であって外周に複数の刃が形成してなるものが多く用いられていたが、草刈刃の先端が上方や下方に傾斜するように構成された草刈刃も提案されている（特許文献１，２参照）。
【先行技術文献】
【特許文献】
【０００３】
【特許文献１】特開平５−９１８１４号公報
【特許文献２】特開昭６１−８３０１号公報
【考案の概要】
【考案が解決しようとする課題】
【０００４】
草刈りの作業を迅速に行うために、より草刈りを効率的に行うことができる草刈刃が求められている。
本考案の目的は、草刈りを効率的に行うことができる草刈刃を提案することである。
【課題を解決するための手段】
【０００５】
請求項１に記載の考案は、草刈機にて用いられる草刈刃であって、草刈機と連結するための連結部と、上記連結部を中心として拡がる周辺部と、両端に開口を有する筒状の形状であって、その軸方向が当該草刈刃の回転方向に沿うように上記周辺部の外縁に配置される筒部と、を備えることを特徴とする草刈刃である。
【０００６】
このように構成された草刈刃は、草刈機に取り付けて回転させた際に、筒部の端部に接触した草を刈り取る。このように草を刈り取る部分が筒状であることから、従来の草刈刃ように薄い刃を用いる場合よりも広い範囲で草と草刈刃とを接触させることができ、効率的に草刈りを行うことができる。
【０００７】
上記筒部は、円筒状とすることが考えられる。円筒状とすることで、草刈り作業時に筒部に加わる応力が分散することで耐久性を高めることができる。もちろん筒部は円筒状以外の形状としてもよい。
【０００８】
筒部の軸方向の長さは特に限定されない。短く形成した場合には草刈刃に多くの筒部を配置することが可能となる。一方、筒部を長く形成すると筒部の強度を向上できる。なお筒部の軸は、草刈刃の回転方向（草刈刃の回転軸を中心とした円の円周方向）に沿っていればよく、例えば軸は直線状であってもよいし、軸は回転方向に沿って緩やかにカーブする形状であってもよい。
【０００９】
また筒部は、両端の上記開口を繋ぐように、軸方向に沿って切れ込みが設けられていてもよい。即ち、筒部は概形が筒状であればよい。
また、筒部の両端の開口形状は特に限定されない。例えば、筒部における上記回転方向の前側に位置する開口の縁部の少なくとも一部分は、軸方向と略直交する平面上に位置するように構成されていてもよい。換言すると、筒部は、回転方向前側の一部を軸方向と略直交する平面で切断された形状としてもよい。
【００１０】
このように構成された草刈刃は、筒部の前方の開口縁部が草に対して直交するように接触しやすくなるため、効率よく草を刈ることができる。なお、一部分とは一定の広さを有する範囲である。例えば開口縁部全体の１／３程度が上述した平面上（同一の平面上）にあれば十分な効果を発揮できる。また開口縁部の少なくとも一部分が上述した平面上に位置していればよいが、開口縁部の全部がその平面上に位置していてもよい。
【００１１】
また上記の開口形状以外に、例えば、筒部における上記回転方向の前側に位置する開口の縁部は、当該草刈刃の回転軸からの距離が大きいほど上記回転方向の後側に位置するように形成されていてもよい。
【００１２】
このように構成された草刈刃は、筒部の前方の開口縁部が外側ほど後方になるように傾斜しているため、その開口縁部が草刈り時において草刈りの対象ではない設置物や人などに接触したときに与える損傷を小さくすることができる。
【００１３】
また本考案の草刈刃は、筒部から下方に延び出し、軸方向に沿って長さを有する下側刃部を備える構成としてもよい。このような草刈刃は、下側刃部によっても草を刈ることができる。特に草をチップ化する（細かく切断する）際に有効である。
【００１４】
また本考案の草刈刃において、筒部の内部空間は、回転方向の前端部分における軸方向と直交する方向の断面積が、回転方向の後端部分における軸方向と直交する方向の断面積よりも小さいように構成してもよい。さらに、筒部の内部空間は、軸方向と直交する方向の断面積が回転方向の後方ほど大きくなるように構成してもよい。このように構成された草刈刃は、刈り取った草などが筒部の内部に詰まることを抑制できる。
【００１５】
また本考案の草刈刃において、筒部は周辺部に対して溶接等で固定される構成であってもよいが、周辺部と一体に形成されるものであってもよい。具体的には、筒部は、少なくともその一部分が周辺部から半径方向に延び出した延出部分を曲げて形成されているように構成してもよい。なお筒部の全部が延出部分を曲げて構成されていてもよいし、一部に別の部材を用いてもよい。
【００１６】
このように構成された草刈刃は、筒部と周辺部とが同一の部材であるため筒部が周辺部から外れてしまう危険を低減できる。
また本考案の草刈刃において、周辺部は、上記回転方向に沿って長さを有するリブが前記連結部を取り囲むように形成されていてもよい。このように構成された草刈刃であれば、リブによって周辺部の強度を高めることができる。リブは周辺部とは別の部品を溶接等で周辺部に取り付けてもよいし、プレスにより周辺部自体に回転方向に沿う凸条を形成し、それをリブとしてもよい。
【図面の簡単な説明】
【００１７】
【図１】実施例１の草刈刃を示す図であって、（Ａ）が斜視図であり、（Ｂ）が平面図であり、（Ｃ）が正面図である。
【図２】実施例１の草刈刃を草刈機に取り付けた状態を示す図である。
【図３】変形例の草刈刃を示す図であって、（Ａ）が斜視図であり、（Ｂ）が正面図である。
【図４】実施例２の草刈刃を示す図であって、（Ａ）が斜視図であり、（Ｂ）が平面図であり、（Ｃ）が正面図である。
【図５】変形例の草刈刃を示す図であって、（Ａ）および（Ｂ）が筒部周辺を拡大した平面図であり、（Ｃ）が筒部のみを示す斜視図である。
【図６】変形例の草刈刃を示す図であって、（Ａ）、（Ｃ）が筒部周辺を拡大した平面図であり、（Ｂ）が筒部のみを示す斜視図である。
【図７】変形例の草刈刃を示す斜視図であって、（Ａ）が斜視図であり、（Ｂ）が図７（Ａ）のＣ−Ｃ断面図である。
【考案を実施するための形態】
【００１８】
以下に本考案の実施形態を図面と共に説明する。
［実施例１］
（１）草刈刃の構成
図１（Ａ）〜（Ｃ）に、本実施例の草刈刃１を示す。草刈刃１は、図２に示すように草刈機３と連結して用いられる。この草刈刃１は図１（Ｂ）において左回りに回るように用いられることで、より良好に草刈機能を発揮するものである。
【００１９】
なお、以下の説明において、左回りを回転方向として説明する。また円周方向とは回転軸Ａを中心とした円周の方向を意味するものとし、半径方向とは回転軸Ａを中心とした円の半径方向を意味するものとして説明する。また、下方向とは、草刈刃１を草刈機３に取り付けて使用する状態における下方向である。上方向とは下方向の反対方向であり、草刈刃１の回転軸Ａに沿う方向のうち、草刈機３の駆動源であるエンジン３１や操作に用いる把持部などがある方向である。
【００２０】
草刈刃１は、全体として略円盤状の形状である。草刈刃１の中央には、円板状の板状部１１を備える。板状部１１は、草刈機３と連結するための連結部１３と、連結部１３を中心として拡がる周辺部１５と、を備える。
【００２１】
連結部１３は貫通孔１７を有しており、この貫通孔１７に草刈機３の駆動軸３５を挿入して連結される。貫通孔１７の中心を通過する直線であって、板状部１１と直交する直線が、草刈刃１が回転する際の回転軸Ａとなる。
【００２２】
周辺部１５の外縁には、筒状体である筒部２１が等間隔で６つ設けられている。なお筒部２１の数は特に限定されず、５つ以下でも７つ以上であってもよい。筒部２１はその軸方向が草刈刃１の回転方向（円周方向）に沿って配置されている。
【００２３】
筒部２１は回転方向の前方および後方に開口を有しており、前方から後方へ貫通している。前方側の開口縁部２１ａは上面視で草刈刃１の半径方向に沿って形成されている。即ち、開口縁部２１ａは筒部２１の軸方向と略直交する平面上に位置する。一方、後方側の開口縁部２１ｂは、開口縁部２１ａと比較すると草刈刃１の円周方向に沿う傾斜角度で形成されている。なお開口縁部２１ａ、２１ｂとは開口を構成する筒部２１の前後の端部である。
【００２４】
筒部２１は、上側部２３と下側部２５とを有する。上側部２３は周辺部１５と一体であり、周辺部１５から半径方向に延び出した延出部分を折り曲げて、筒状体の上側の領域および半径方向外側の領域を形成する。下側部２５は、板状部１１とは別部品として形成され、筒状体の下側の領域を形成し、溶接により上側部２３および周辺部１５に固定されている。上側部２３と下側部２５とから、略円筒状の筒部２１が形成される。
【００２５】
また上側部２３の先端は、筒部２１から下方に延び出し、筒部２１の軸方向に沿って長さを有する下側刃部２７を有している。
草刈機３は、図２に示すように、エンジン３１、パイプシャフト３３、駆動軸３５、パイプシャフト３３の内部に配置される図示しない回転軸などを備える。エンジン３１はパイプシャフト３３の内部の回転軸を回転させる。駆動軸３５はその回転力によって回転する。草刈刃１は、駆動軸３５の先端（下端）を連結部１３の貫通孔１７に挿入した状態で、留め金具３７にて連結部１３を挟み込んでボルト３９を駆動軸３５に締着することで固定され、駆動軸３５と一体に回転するようになる。
【００２６】
このように草刈刃１を取り付けた状態でエンジン３１を駆動させると駆動軸３５が回転し、それに伴い草刈刃１が回転して、雑草などを刈り取ることができるようになる。
（２）効果
本実施例の草刈刃１は、草刈機３に取り付けて回転させた際に、前方側の開口縁部２１ａに接触した草を刈り取ることができる。草を刈り取る部分が筒状であることから、従来の草刈刃のような薄い刃を用いる場合よりも広い範囲で草と接触させることができ、効率的に草刈りを行うことができる。また筒部２１は円筒状であるため、草刈り作業時に加わる応力を分散することができ、耐久性を高めることができる。
【００２７】
また筒部２１の前方側の開口縁部２１ａは上面視で草刈刃１の半径方向に沿って形成されているため、開口縁部２１ａが草と直交するように接触して効率よく草を刈ることができる。
【００２８】
また、本実施例の草刈刃１は下側刃部２７によっても草を刈ることができ、草刈りの効率を高めることができる。なお下側刃部２７は特に草をチップ化する（細かく切断する）際に有効である。
【００２９】
また本実施例の草刈刃１では、筒部２１の上側部２３と周辺部１５とが同一の部材であるため、筒部２１に荷重が加えられたときに周辺部１５から外れてしまう危険を低減できる。
【００３０】
なお、本実施例においては筒部２１が上側部２３と下側部２５により形成される構成を例示したが、筒部全体が周辺部１５と一体の１つの部材により構成されていてもよい。図３（Ａ）、（Ｂ）に示す草刈刃４１において、筒部４３は周辺部１５から延び出した部分を折り曲げて筒状に形成してなるものである。
【００３１】
このように構成された草刈刃４１は、筒部４３全体が周辺部１５と同一の部材であるため、筒部４３が周辺部１５から外れてしまう危険をより高度に低減できる。
［実施例２］
（１）草刈刃の構成
図４（Ａ）、（Ｂ）に本実施例の草刈刃５１を示す。草刈刃５１は、実施例１の草刈刃１と同様に、図２に示すように草刈機３と連結して用いられる。この草刈刃５１は図４（Ｂ）において左回りに回るように用いられることで、より良好に草刈機能を発揮するものである。
【００３２】
草刈刃５１は、全体として略円盤状の形状であって、草刈刃５１の中央には、円板状の板状部５３を備える。板状部５３は、草刈機３と連結するための連結部５５と、連結部５５を中心として拡がる周辺部５７と、を備える。
【００３３】
連結部５５は貫通孔５９を有しており、この貫通孔５９に草刈機３の駆動軸３５を挿入して連結される。なお貫通孔５９の中心を通過する直線であって、板状部５３と直交する直線が、草刈刃５１が回転する際の回転軸Ｂとなる。
【００３４】
周辺部５７の外縁には、筒状体である筒部６１が等間隔で６つ設けられている。なお筒部６１の数は特に限定されず、５つ以下でも７つ以上であってもよい。筒部６１はその軸方向が草刈刃５１の回転方向（円周方向）に沿って配置されている。
【００３５】
筒部６１は回転方向の前方および後方に開口を有しており筒部６１の前方から後方へ貫通している。前方側の開口縁部６１ａは上面視で草刈刃５１の半径方向に沿って形成されている。一方、後方側の開口縁部６１ｂは、開口縁部６１ａと比較すると草刈刃５１の円周方向に沿うように傾斜して形成されている。
【００３６】
なお本実施例の草刈刃１においては、筒部６１は円筒形状のパイプであって、溶接により周辺部５７に固定されている。前方側の端部はパイプの軸方向に対して直交する面で切断されて形成されることで、開口縁部６１ａを含む面は半径方向と略平行な位置関係となる。一方、後方側の端部はパイプの軸に対して傾斜して切断されている。
【００３７】
（２）効果
本実施例の草刈刃５１は、実施例１の草刈刃１と同様に、筒部６１によって効率的に草刈りを行うことができる。
【００３８】
［変形例］
以上本考案の実施例について説明したが、本考案は、上記実施例に何ら限定されることはなく、本考案の技術的範囲に属する限り種々の形態をとり得ることはいうまでもない。
【００３９】
例えば、上記各実施例の草刈刃の材料は特に限定されないが、高張力鋼（いわゆるハイテン材）を用いることで、草刈刃の破損を低減できる。
また、上記各実施例においては、板状部１１、５３は円板状である構成を例示したが、外側が上方向または下方向に傾斜する形状であってもよい。また周辺部１５，５７も外縁が円形である必要はなく、例えば、連結部１３、５５と筒部２１、６１とを結ぶために連結部１３、５５から延び出す部分のみを有するように形成されていてもよい。
【００４０】
また、筒部の形状は上記実施例に示した形状に限定されない。例えば図５（Ａ）に示す筒部７１のように、草刈刃の回転方向の前側に位置する開口縁部７１ａが、当該草刈刃の回転軸からの距離が大きいほど上記回転方向の後側に位置するように（開口縁部７１ａの存在する平面が回転方向に対して傾斜するように）形成されていてもよい。
【００４１】
このように構成された草刈刃は、草刈り時に筒部７１の前方の開口縁部７１ａが壁などの設置物や人に接触したときに与える損傷を小さくすることができる。また後側の開口縁部７１ｂが、開口縁部７１ａと比較して相対的に半径方向に対する傾斜角度が小さくなるように形成されていてもよい。
【００４２】
なお開口縁部７１ａの傾斜角度は、回転方向（筒部７１の軸方向）に対して上面視で３０°〜６０°の範囲に設定することが考えられる。
また、図５（Ｂ）に示す筒部７３のように、前方の開口縁部７３ａは、上面視で滑らかに屈曲する屈曲領域７３ｂを有しており、滑らかに周辺部７５に繋がるように構成されていてもよい。
【００４３】
また筒部は円筒形状でなくともよい。例えば図５（Ｃ）に示す筒部８１のように、断面が矩形の筒状としてもよい。
また、図６（Ａ）、（Ｂ）に示す筒部８３のように、テーパー状に形成されていてもよい。上図では前端部分の開口縁部８３ａの断面積（軸方向と直交する方向の断面積）が、後端部分の開口縁部８３ｂの断面積よりも小さくなるように構成されている。このような筒部８３を有する草刈刃は、刈り取った草などが筒部８３の内部に詰まることを抑制できる。
【００４４】
また筒部８３は、その内部空間が、軸方向と直交する方向の断面積が回転方向の後方ほど大きくなるように構成されており、高度に詰まりを抑制することができる。また、筒部８３の回転方向後方ほど外側に拡がっていることから、回転時には筒部８３の側面に物が当たりやすくなり、対物の当たりをやわらげることができる。なお、図６（Ａ）、（Ｂ）に示すように、なだらかに空間が拡がる構成に限られず、例えば段階的に後方が広くなる構成であってもよい。
【００４５】
また図６（Ｃ）に示す筒部８５のように、軸方向の両端の開口を繋ぐように、軸方向に沿って切れ込み８７が設けられていてもよい。切れ込みの位置は図６（Ｃ）の位置に限られず、例えば周辺部との連結箇所近傍に設けられていてもよい。このように、筒部は概形が筒状であればよい。
【００４６】
また、図７（Ａ）、（Ｂ）に示す草刈刃５１ａのように、周辺部５７ａに回転方向に沿って長さを有するリブ６３が連結部５５ａを取り囲むように設けられる構成であってもよい。草刈刃５１ａは、リブ６３以外は実施例２の草刈刃５１と同様の形状である。リブ６３によって周辺部５７ａの強度を高めることができる。なお上図ではリブ６３が貫通孔５９を中心として２本設けられる構成を例示したが、１本であってもよいし、３本以上設けられる構成であってもよい。
【符号の説明】
【００４７】
１…草刈刃、３…草刈機、１１…板状部、１３…連結部、１５…周辺部、１７…貫通孔、２１…筒部、２１ａ，２１ｂ…開口縁部、２３…上側部、２５…下側部、２７…下側刃部、３１…エンジン、３３…パイプシャフト、３５…駆動軸、３７…金具、３９…ボルト、４１…草刈刃、４３…筒部、５１…草刈刃、５３…板状部、５５…連結部、５７…周辺部、５９…貫通孔、６１…筒部、６１ａ…開口縁部、６１ｂ…開口縁部、６３…リブ、７１…筒部、７１ａ…開口縁部、７２ｂ…開口縁部、７３…筒部、７３ａ…縁部、７３ｂ…屈曲領域、７５…周辺部、８１…筒部、８３…筒部、８３ａ…開口縁部、８３ｂ…開口縁部、８５…筒部、８７…切れ込み
【図１】
0003185167.tif 000003
【図２】
0003185167.tif 000004
【図３】
0003185167.tif 000005
【図４】
0003185167.tif 000006
【図５】
0003185167.tif 000007
【図６】
0003185167.tif 000008
【図７】
0003185167.tif 000009